【手続補正書】
【提出日】平成17年10月24日(2005.10.24)
【手続補正１】
【補正対象書類名】明細書
【補正対象項目名】発明の名称
【補正方法】変更
【補正の内容】
【発明の名称】情報処理システム及び情報処理方法
【手続補正２】
【補正対象書類名】明細書
【補正対象項目名】特許請求の範囲
【補正方法】変更
【補正の内容】
【特許請求の範囲】
【請求項１】  通信装置に表示されるコンテンツを提供する情報処理システムにおいて、
画像を記憶する記憶手段と、
前記画像を分割した複数の部分画像と前記キーとがそれぞれ対応付けて記述され、前記画像を表示させるための第１のデータを作成する第１のデータ作成手段と、
前記作成された第１のデータを前記通信装置へ出力する第１の出力手段と、
前記通信装置で押下されたキーに割り当てられている部分画像の情報を受信する受信手段と、
前記受信された部分画像の情報と対応する部分画像を前記記憶された画像から取得する第１の取得手段と、
前記画像に対する前記部分画像の位置を示す情報を前記キーと対応付けたテーブルを管理する管理手段と、
前記通信装置で押下されたキーに対応する前記画像に対する前記部分画像の位置を示す情報を取得する第２の取得手段と、
前記取得された部分画像及び前記画像に対する前記部分画像の位置を示す情報を前記通信装置で表示させるための第２のデータを作成する第２のデータ作成手段と、
前記作成された第２のデータを前記通信装置へ出力する出力手段を備えたことを特徴とする情報処理システム。
【請求項２】  請求項１において、
前記管理手段は、さらに前記画像に対する前記部分画像の位置を示す情報を、前記第２のデータに基づき表示される部分画像の次に表示可能な部分画像と対応するキーと関連付けて管理し、
前記第２のデータ作成手段は、さらに、前記通信装置でキーが押下されると、前記キーと対応する前記管理手段に管理された次に表示可能な部分画像を表示させるよう指示するための前記第２データを作成することを特徴とする情報処理システム。
【請求項３】  請求項１において、
前記画像に対する前記部分画像の位置を示す情報は、前記第２のデータに基づき表示される部分画像の位置と前記第２のデータに基づき表示されていない部分画像の位置とが異なる色で表現されることを特徴とする情報処理システム。
【請求項４】  請求項１において、
前記通信装置が有するキーは、電話番号の入力に利用されるテンキーを含むことを特徴とする情報処理システム。
【請求項５】  通信装置に表示されるコンテンツを提供する情報処理方法において、
画像を記憶する記憶ステップと、
前記画像を分割した複数の部分画像と前記キーとがそれぞれ対応付けて記述され、前記画像を表示させるための第１のデータを作成する第１のデータ作成ステップと、
前記作成された第１のデータを前記通信装置へ出力する第１の出力ステップと、
前記通信装置で押下されたキーに割り当てられている部分画像の情報を受信する受信ステップと、
前記受信された部分画像の情報と対応する部分画像を前記記憶された画像から取得する第１の取得ステップと、
前記画像に対する前記部分画像の位置を示す情報を前記キーと対応付けたテーブルを管理する管理ステップと、
前記通信装置で押下されたキーに対応する前記画像に対する前記部分画像の位置を示す情報を取得する第２の取得ステップと、
前記取得された部分画像及び前記画像に対する前記部分画像の位置を示す情報を前記通信装置で表示させるための第２のデータを作成する第２のデータ作成ステップと、
作成された第２のデータを前記通信装置へ出力する出力ステップを備えたことを特徴とする情報処理方法。
【請求項６】  請求項５において、
前記管理ステップでは、さらに前記画像に対する前記部分画像の位置を示す情報を、前記第２のデータに基づき表示される部分画像の次に表示可能な部分画像と対応するキーと関連付けて管理し、
前記第２のデータ作成ステップは、さらに、前記通信装置でキーが押下されると、前記キーと対応する前記管理ステップで管理された次に表示可能な部分画像を表示させるよう指示するための前記第２データを作成することを特徴とすることを特徴とする情報処理方法。
【請求項７】  請求項５において、
前記画像に対する前記部分画像の位置を示す情報は、前記第２のデータに基づき表示される部分画像の位置と前記第２のデータに基づき表示されていない部分画像の位置とが異なる色で表現されることを特徴とする情報処理方法。
【請求項８】  請求項５において、
前記通信装置が有するキーは、電話番号の入力に利用されるテンキーを含むことを特徴とする情報処理方法。
【手続補正３】
【補正対象書類名】明細書
【補正対象項目名】０００１
【補正方法】変更
【補正の内容】
【０００１】
【発明の属する技術分野】
本発明は、通信装置に表示されるコンテンツを提供する情報処理システム及び情報処理方法に関する。
【手続補正４】
【補正対象書類名】明細書
【補正対象項目名】０００８
【補正方法】変更
【補正の内容】
【０００８】
本発明は、部分画像が表示された場合に、表示されている部分が元画像のどの部分の画像であるかをわかりやすくすることを目的とする。
【手続補正５】
【補正対象書類名】明細書
【補正対象項目名】０００９
【補正方法】変更
【補正の内容】
【０００９】
【課題を解決するための手段】
上記目的を達成するために本発明は、通信装置に表示されるコンテンツを提供する情報処理システムにおいて、画像を記憶する記憶手段と、前記画像を分割した複数の部分画像と前記キーとがそれぞれ対応付けて記述され、前記画像を表示させるための第１のデータを作成する第１のデータ作成手段と、前記作成された第１のデータを前記通信装置へ出力する第１の出力手段と、前記通信装置で押下されたキーに割り当てられている部分画像の情報を受信する受信手段と、前記受信された部分画像の情報と対応する部分画像を前記記憶された画像から取得する第１の取得手段と、前記画像に対する前記部分画像の位置を示す情報を前記キーと対応付けたテーブルを管理する管理手段と、前記通信装置で押下されたキーに対応する前記画像に対する前記部分画像の位置を示す情報を取得する第２の取得手段と、前記取得された部分画像及び前記画像に対する前記部分画像の位置を示す情報を前記通信装置で表示させるための第２のデータを作成する第２のデータ作成手段と、前記作成された第２のデータを前記通信装置へ出力する出力手段を備えたことを特徴とする情報処理システムを提供する。
【手続補正６】
【補正対象書類名】明細書
【補正対象項目名】００１０
【補正方法】変更
【補正の内容】
【００１０】
また、通信装置に表示されるコンテンツを提供する情報処理方法において、画像を記憶する記憶ステップと、前記画像を分割した複数の部分画像と前記キーとがそれぞれ対応付けて記述され、前記画像を表示させるための第１のデータを作成する第１のデータ作成ステップと、前記作成された第１のデータを前記通信装置へ出力する第１の出力ステップと、前記通信装置で押下されたキーに割り当てられている部分画像の情報を受信する受信ステップと、前記受信された部分画像の情報と対応する部分画像を前記記憶された画像から取得する第１の取得ステップと、前記画像に対する前記部分画像の位置を示す情報を前記キーと対応付けたテーブルを管理する管理ステップと、前記通信装置で押下されたキーに対応する前記画像に対する前記部分画像の位置を示す情報を取得する第２の取得ステップと、前記取得された部分画像及び前記画像に対する前記部分画像の位置を示す情報を前記通信装置で表示させるための第２のデータを作成する第２のデータ作成ステップと、作成された第２のデータを前記通信装置へ出力する出力ステップを備えたことを特徴とする情報処理方法を提供する。
【手続補正７】
【補正対象書類名】明細書
【補正対象項目名】００１１
【補正方法】削除
【補正の内容】